(57)【特許請求の範囲】
【請求項１】
雌側コネクタと雄側コネクタとを具備し、そのいずれか一方を、
外側ハウジングと、
この外側ハウジングに複数段に設けられ、それぞれ接触子を有した内側ハウジングと、
複数の段差部を有して前記外側ハウジングに組込まれ、外部から操作されるごとに前記各内側ハウジングとの係合関係が変わる操作伝達部材とを具備する構成とし、
前記外側ハウジングを前記操作伝達部材の各段差部が相手コネクタのハウジングの縁部に当たるまで相手コネクタ方向へ押込み操作することにより、前記内側ハウジングをこれとの前記係合関係の変わった前記操作伝達部材を介して相手コネクタ方向へ押込むことを特徴とするコネクタ装置。
【請求項２】
外側ハウジングと各内側ハウジングとの間に、外側ハウジングに加えられた相手コネクタ方向とは反対方向への引離し操作力を各内側ハウジングに順次伝える引離し操作伝達手段を有することを特徴とする請求項１記載のコネクタ装置。
【発明の詳細な説明】
【０００１】
【発明の属する技術分野】
本発明は多極形のものに好適するコネクタ装置に関する。
【０００２】
【従来の技術】
従来より、電気配線の接続に用いられるコネクタ装置においては、接触子の個数が多くなるに伴い、雌側コネクタと雄側コネクタとの結合時における接触子の接触摩擦抵抗が大きくなって、操作力が大きく必要となる事情を有している。
このため、接触子を多数有する多極形のコネクタ装置においては、結合操作に更に大きな力が必要であった。
【０００３】
これに対して、従来、図１４に示すように、例えば１つの雄側コネクタ１に対して、雌側コネクタ２を複数（この場合、２ａ，２ｂ，２ｃの３個）に分け、この複数に分けた雌側コネクタ２ａ，２ｂ，２ｃを、雄側コネクタ１のそれぞれ接続すべき箇所１ａ，１ｂ，１ｃに個別に結合するようにしたものが供されている。
【０００４】
【発明が解決しようとする課題】
上述のごとくしたものにおいては、雌側コネクタ２ａ，２ｂ，２ｃの１つ１つが有する接触子（雄側コネクタ１の接触子３に対応してそれぞれ有するが、図示を省略している）の個数が少なくなるため、各雌側コネクタ２ａ，２ｂ，２ｃと雄側コネクタ１との結合に要する操作力を小さくすることができる。
【０００５】
しかしながら、複数に分けた雌側コネクタ２ａ，２ｂ，２ｃの１つ１つを持って雄側コネクタ１の各部１ａ，１ｂ，１ｃに１つ１つ結合する必要があり、操作が面倒になっていた。
【０００６】
本発明は上述の事情に鑑みてなされたものであり、従ってその目的は、主として、結合の操作力を軽減できると共に、結合操作を簡単にもできるコネクタ装置を提供するにある。
【０００７】
【課題を解決するための手段】
上記目的を達成するために、本発明のコネクタ装置は、雌側コネクタと雄側コネクタとを具備し、そのいずれか一方を、外側ハウジングと、この外側ハウジングに複数段に設けられ、それぞれ接触子を有した内側ハウジングと、複数の段差部を有して前記外側ハウジングに組込まれ、外部から操作されるごとに前記各内側ハウジングとの係合関係が変わる操作伝達部材とを具備する構成とし、前記外側ハウジングを前記操作伝達部材の各段差部が相手コネクタのハウジングの縁部に当たるまで相手コネクタ方向へ押込み操作することにより、前記内側ハウジングをこれとの前記係合関係の変わった前記操作伝達部材を介して相手コネクタ方向へ押込むことを特徴とする。
このものによれば、外側ハウジングと押込み操作伝達部材とを交互に押込み操作することによって、複数段ある内側ハウジングが順次相手コネクタに結合される。
【０００８】
この場合、外側ハウジングと各内側ハウジングとの間には、外側ハウジングに加えられた相手コネクタ方向とは反対方向への引離し操作力を各内側ハウジングに順次伝える引離し操作伝達手段を有すると良い。
このものでは、相手コネクタからの内側ハウジングの引離しも、外側ハウジングの引離し操作によって順次行われる。
【０００９】
【発明の実施の形態】
以下、本発明の一実施例につき、図１ないし図１３を参照して説明する。
まず図４には、雄側コネクタ１１と雌側コネクタ１２とを結合前の状態で示している。このうち、雄側コネクタ１１は、ハウジング１３を外殻とし、これの内部に多数の雄側接触子１４を設けて構成している。
【００１０】
ハウジング１３は、詳細には、この場合、接続対象の導電部（図示省略）を有するベース部１５に、プラスチック等の絶縁材により一体に形成したものであり、図中右側端の一面が開放する矩形ボックス状を成している。雄側接触子１４は、このハウジング１３内の奥部から開放部側へ突設しており、左右に複数個ずつ、上下に複数段（この場合、３段）存在している。又、この雄側接触子１４は導電材製で、ピン状を成しており、その各基端部を前記ベース部１５内の導電部に接続している。
【００１１】
ハウジング１３の上部には凹部１６と、これの両側に位置する２つのガイド溝１７とを、ともに上方へ膨出させて、開放部側から奥部側へ延ばし形成しており、更に凹部１６の内上部には爪掛け部を形成している（図示省略）。
これに対して、雌側コネクタ１２は、外側ハウジング１８を外殻とし、これに複数個（この場合、３個）の内側ハウジング１９と、押込み操作伝達部材２０とを組込んで構成している。
【００１２】
外側ハウジング１８は、プラスチック等の絶縁材により単独に形成したもので、上記雄側コネクタ１１のハウジング１３とは対称的に、図中左側の一面が開放する矩形ボックス状を成しており、その大きさは雄側コネクタ１１のハウジング１３より一回り小さく、該ハウジング１３内にほゞ隙間なく収納し得る大きさとしている。
【００１３】
この外側ハウジング１８の内部には、図５に示すように、それを上下複数段  （この場合、３段）の室２１に仕切る仕切壁２２を奥部側に形成している。又、この外側ハウジング１８の左右の両側壁には、上述の各室２１の位置に合わせて、矩形の孔２３，２４，２５をそれぞれ奥部側から開放部側へ長さを異ならせて形成している。この場合、最上段の孔２３が最も短く、次いで中段の孔２４が長く、最下段の孔２５が更に長くなっている。
【００１４】
一方、外側ハウジング１８の上部には、図６にも示すように、弾性舌片２６とリブ２７とを形成しており、そのうち、弾性舌片２６は前記雄側コネクタ１１の凹部１６に収納されるもので、前記爪掛け部に係合される爪２８を有している。リブ２７は前記ガイド溝１７に収納されるもので、弾性舌片２６の両側に存在している。
又、この外側ハウジング１８の上部には、奥部側から開放部側へ長い矩形の孔２９を形成しており、これに対応して、前記仕切壁２２にもそれぞれ同等の大きさの切欠部を形成している（図示省略）。
【００１５】
内側ハウジング１９は、プラスチック等の絶縁材により図７に示す矩形の偏平なブロック状に形成したものであり、その中央部付近の後部側には上記外側ハウジング１８の孔２９と対応する切欠部３０を形成している。又、この内側ハウジング１９の切欠部３０の両側のうちの一方側（図７中、下側）には、図８にも示すように、前後に複数段（この場合、３段）の段差部３１，３２，３３を係合部として形成する凹部３４を下面側に設けており、他方側（図７図中、上側）には、図９にも示すように、段差部３５と段差部３６を同じく被係合部として前後に形成する凹部３７を上面側に設け、下面側に段差部３８を形成する凹部３９を設けている。なお、この場合、段差部３１〜３３及び段差部３５，３８が後向きの直立面状を成すのに対して、段差部３６は、前向きで、且つ後上がりの斜面状を成している。
【００１６】
更に、内側ハウジング１９の前面部から内部には、前記雄側コネクタ１１の雄側接触子１４と嵌合して接触する雌側接触子４０を埋設している。加えて、内側ハウジング１９の左右の両側面には、図１０にも示すように、凸条部４１を形成し、この凸条部４１の後端部に突起４２を形成している。なお、この凸条部４１の突起４２を形成した後端部に対して、内側ハウジング１９の左右の両側面には穴４３を形成しており、これによって、凸条部４１の突起４２の部分が内側ハウジング１９の内外側方へ弾性変形し得るようにしている。
【００１７】
そして、押込み操作伝達部材２０は、上記外側ハウジング１８の室２１の全部に対して上下に直交する長さを有する板状を成すものであり、これには、図１１及び図１２に示すように、一側面の中間部と下端部とにそれぞれ係合部としての凸部４４，４５を、それぞれ後部側から前部側へ長さ及び上下方向の幅を異ならせて突設している。又、この押込み操作伝達部材２０の他側面には、上端部の全長にわたり凸部４６を、下端部付近の前部に係合部としての凸部４７をそれぞれ形成している。
【００１８】
そのうち、凸部４６は、前後に複数段（この場合、３段）の段差部４８，４９，５０を係合部として上面側に有し、下面側に１段の段差部５１を有している。又、凸部４７は後部の下面側に後上がりの斜面部５２を有している。
更に、この押込み操作伝達部材２０の後縁部の上部には、突起５３と、これの部分を前後に弾性変形させるための透溝５４とを形成している。
【００１９】
この構成で、押込み操作伝達部材２０を、前記外側ハウジング１８の孔２９から仕切壁２２の図示しない切欠部を通して外側ハウジング１８内に挿入し、凸部４６だけを外側ハウジング１８外の上方に突出させている。又、その状態で、外側ハウジング１８の各室２１には、それぞれ内側ハウジング１９を前方より挿入して、該内側ハウジング１９を上下複数段（この場合、３段）に設けている。
【００２０】
図１３の（ａ）、（ｂ）、（ｃ）、及び図４は、このように外側ハウジング１８に押込み操作伝達部材２０及び内側ハウジング１９を組込んだ状態を示しており、そのうち、最下段の内側ハウジング１９は、段差部３１を押込み操作伝達部材２０の凸部４５に当接係合させて外側ハウジング１８から最も突出する位置に留められている。又、中段の内側ハウジング１９は、段差部３１を押込み操作伝達部材２０の凸部４４に当接係合させると共に、段差部３８を押込み操作伝達部材２０の凸部４７に当接係合させて外側ハウジング１８から少し突出する位置に留められ、最上段の内側ハウジング１９は、段差部３１が外側ハウジング１８の奥面に当接係合するまで進められて該外側ハウジング１８に全部収納された状態となっている。
【００２１】
又、それにより、最下段の内側ハウジング１９は、突起４２を外側ハウジング１８の最下段の孔２５の最前部に嵌合させ、中段の内側ハウジング１９は、突起４２を中段の孔２４の最前部に嵌合させ、最下段の内側ハウジング１９は、突起４２を最上段の孔２３に前後の余裕なく嵌合させている。
なお、各内側ハウジング１９からは、雌側接触子４０にそれぞれ接続したリード線５５を後方に導出させており、更に、そのリード線５５は、外側ハウジング１８の後壁部に形成した孔５６（図４参照）から、外側ハウジング１８外の後方に導出させている。
【００２２】
次に、上記構成のものの作用を述べる。
まず、図１の（ア）の（ａ）、（ｂ）、（ｃ）、及び図２の（ア）は、上述の、図１３の（ａ）、（ｂ）、（ｃ）、及び図４に示した状態から、雌側コネクタ１２を雄側コネクタ１１のハウジング１３内に矢印Ａで示すごとく押込んだ状態を表している。
【００２３】
このとき、雌側コネクタ１２は、押込み操作伝達部材２０の凸部４６の段差部４８が雄側コネクタ１１のハウジング１３の開放部の上縁部に当たるまで、ハウジング１３内に押込まれる。又、それによって、雌側コネクタ１２の全部の内側ハウジング１９も、雄側コネクタ１１のハウジング１３内に押込まれるが、その中でも、押込み操作伝達部材２０の凸部４５に段差部３１を係合させた最下段の内側ハウジング１９が、その係合構造を介し、押込み操作伝達部材２０によって押圧される（後退を阻止される）ことにより、雄側コネクタ１１の最下段の雄側接触子１４に雌側接触子４０を嵌合させて結合される。
【００２４】
次いで、図１の（イ）の（ａ）、（ｂ）、（ｃ）、及び図２の（イ）は、上述の状態から、押込み操作伝達部材２０を上方より矢印Ｂで示すごとく押込んだ状態を表している。
【００２５】
このとき、押込み操作伝達部材２０は、凸部４７が最下段の内側ハウジング１９の段差部３６上の位置（上段部５７）に当たるまで押込まれる。又、それによって、押込み操作伝達部材２０は、凸部４５を上記最下段の内側ハウジング１９の段差部３１から下方にずらしてそれとの係合を解き、凸部４４を中段の内側ハウジング１９の段差部３１との当初の係合位置から下方へずらす。更に、凸部４６を、段差部４８が雄側コネクタ１１のハウジング１３内に臨む位置であって、且つ、段差部４９がハウジング１３の開放部の上縁部に臨む位置にずらす。
【００２６】
次いで、図１の（ウ）の（ａ）、（ｂ）、（ｃ）、及び図２の（ウ）は、上述の状態から、更に雌側コネクタ１２を雄側コネクタ１１のハウジング１３内に矢印Ｃで示すごとく押込んだ状態を表している。
【００２７】
このとき、雌側コネクタ１２は、押込み操作伝達部材２０の凸部４６の段差部４９が雄側コネクタ１１のハウジング１３の開放部の上縁部に当たるまで、ハウジング１３内に押込まれる。又、それによって、中段と最上段の両内側ハウジング１９も、雄側コネクタ１１のハウジング１３内に更に押込まれるが、その中でも、押込み操作伝達部材２０の凸部４４に段差部３１を係合させた中段の内側ハウジング１９が、その係合構造を介し、押込み操作伝達部材２０によって押圧されることにより、雄側コネクタ１１の中段の雄側接触子１４に雌側接触子４０を嵌合させて結合される。
【００２８】
なお、このとき、押込み操作伝達部材２０の凸部４５は、最下段の内側ハウジング１９の凹部３４内を段差部３２に向かって進むのみであり、該最下段の内側ハウジング１９に押込み力を与えることはない。
又、このとき、外側ハウジング１８は、最下段の内側ハウジング１９の突起４２を最下段の孔２５の中間部に位置させる位置に前進する。
【００２９】
次いで、図１の（エ）の（ａ）、（ｂ）、（ｃ）、及び図２の（エ）は、上述の状態から、押込み操作伝達部材２０を更に上方より矢印Ｄで示すごとく押込んだ状態を表している。
【００３０】
このとき、押込み操作伝達部材２０は、凸部４７が最下段の内側ハウジング１９の段差部３６下の位置（下段部５８）に当たるまで押込まれる。又、それによって、押込み操作伝達部材２０は、凸部４５を最下段の内側ハウジング１９の段差部３２から下方にずらし、凸部４４を中段の内側ハウジング１９の段差部３１から下方にずらしてそれとの係合を解く。更に、凸部４６を、段差部４８が最上段の内側ハウジング１９の段差部３５に係合する位置であって、且つ、段差部４９が雄側コネクタ１１のハウジング１３内に臨む位置であり、更に、段差部５０がそのハウジング１３の開放部の上縁部に臨む位置にずらす。
【００３１】
次いで、図１の（オ）の（ａ）、（ｂ）、（ｃ）、及び図２の（オ）は、上述の状態から、更に雌側コネクタ１２を雄側コネクタ１１のハウジング１３内に矢印Ｅで示すごとく押込んだ状態を表している。
【００３２】
このとき、雌側コネクタ１２は、押込み操作伝達部材２０の凸部４６の段差部５０が雄側コネクタ１１のハウジング１３の開放部の上縁部に当たるまで、ハウジング１３内に押込まれる。又、それによって、押込み操作伝達部材２０の凸部４６の段差部４８に段差部３５を係合されると共に、外側ハウジング１８に段差部３１を係合された最上段の内側ハウジング１９が、それらの係合構造を介し、押込み操作伝達部材２０によって押圧されることにより、雄側コネクタ１１の最上段の雄側接触子１４に雌側接触子４０を嵌合させて結合されるものであり、かくして、雌側コネクタ１２の全部の内側ハウジング１９が雄側コネクタ１１に結合される。
【００３３】
なお、このとき、押込み操作伝達部材２０の凸部４５は、最下段の内側ハウジング１９の凹部３４内を段差部３３に向かって進むのみであり、又、凸部４４は、中段の内側ハウジング１９の凹部３４内を段差部３２に向かって進むのみであって、更に、凸部４７は最下段の内側ハウジング１９の凹部３７内を段部３５に向かって進むのみであるから、それぞれ最下段の内側ハウジング１９及び中段の内側ハウジング１９に押込み力を与えることはない。
【００３４】
又、このとき、外側ハウジング１８は、最下段の内側ハウジング１９の突起４２を最下段の孔２５の最後部に位置させ、中段の内側ハウジング１９の突起４２を中段の孔２４の最後部に位置させる位置に更に前進する。
そして更に、これらのとき、雄側コネクタ１１のガイド溝１７には雌側コネクタ１２のリブ２７が進入して結合のガイドをし、凹部１６には雌側コネクタ１２の弾性舌片２６が進入して、最終的に爪２８を図示しない爪掛け部に係合させることによって結合状態の保持をする。
【００３５】
これに対して一方、図３の（カ）の（ａ）、（ｂ）は、上述の状態で、凹部１６より外部に残った弾性舌片２６の先端部を押込み操作して爪２８を図示しない爪掛け部から外した上で、雌側コネクタ１２を雄側コネクタ１１より矢印Ｆで示すごとく引いた状態を表している。
このとき、突起４２を外側ハウジング１８の最上段の孔２３に係合された最上段の内側ハウジング１９が、その係合構造を介し、外側ハウジング１８によって引かれることにより、雌側接触子４０を雄側コネクタ１１の最上段の雄側接触子１４から離脱させて引離される。
【００３６】
又、このとき、外側ハウジング１８は、中段の内側ハウジング１９の突起４２を中段の孔２４の最前部に位置させる位置であって、且つ、最下段の内側ハウジング１９の突起４２を最下段の孔２５の中間部に位置させる位置に後退する。更に、このとき、押込み操作伝達部材２０は、凸部４６の段差部５０を雄側コネクタ１１のハウジング１３の開放部の上縁部から離し、凸部４７を最下段の内側ハウジング１９の段部３５から離す。
【００３７】
次いで、図３の（キ）の（ａ）、（ｂ）は、上述の状態から、更に雌側コネクタ１２を雄側コネクタ１１より矢印Ｇで示すごとく引いた状態を表している。  このとき、上述同様にして最上段の内側ハウジング１９が引かれると共に、突起４２を外側ハウジング１８の中段の孔２４の最前部に係合された中段の内側ハウジング１９が、その係合構造を介し、外側ハウジング１８によって引かれることにより、雌側接触子４０を雄側コネクタ１１の中段の雄側接触子１４から離脱させて引離される。
【００３８】
又、このとき、外側ハウジング１８は、最下段の内側ハウジング１９の突起４２を最下段の孔２５の最前部に位置させる位置に後退する。更に、このとき、押込み操作伝達部材２０は、凸部４７の斜面部５２が段差部３６の斜面に摺接することによって段差部３６上の位置（上段部５７）に上げられ、且つ、段差部４９を雄側コネクタ１１のハウジング１３の開放部の上縁部から離す。
【００３９】
次いで、図３の（ク）の（ａ）、（ｂ）は、上述の状態から、更に雌側コネクタ１２を雄側コネクタ１１より矢印Ｈで示すごとく引いた状態を表している。  このとき、上述同様にして最上段及び中段の両内側ハウジング１９が引かれると共に、突起４２を外側ハウジング１８の最下段の孔２５の最前部に係合された最下段の内側ハウジング１９が、その係合構造を介し、外側ハウジング１８によって引かれることにより、雌側接触子４０を雄側コネクタ１１の最下段の雄側接触子１４から離脱させて引離されるものであり、かくして、雌側コネクタ１２の全部の内側ハウジング１９が雄側コネクタ１１から引離される。従って、この場合、雌側コネクタ１２の外側ハウジング１８の孔２３〜２４と、各内側ハウジング１９の突起４２は、外側ハウジング１８に加えられた引離し操作力を各内側ハウジングに順次伝える引離し操作伝達手段として機能する。
【００４０】
又、このとき、押込み操作伝達部材２０は、段差部４８を雄側コネクタ１１のハウジング１３の開放部の上縁部より下方に位置させたまま、その上縁部から離す。
【００４１】
次いで、図３の（ケ）の（ａ）、（ｂ）は、上述の状態から、押込み操作伝達部材２０を矢印Ｉで示すごとく上方へ引き上げた状態を示しており、これによって、雌側コネクタ１２が結合前の状態に戻される。
なお、上述のごとく上下した押込み操作伝達部材２０の各位置は、各凸部４４〜４７が各内側ハウジング１９に当接することによる摩擦力に加え、突起５３が透溝５４による弾力性で外側ハウジング１８の奥面部に圧接することによるその摩擦力によって保持される。
【００４２】
このように本構成のものでは、雌側コネクタ１２の外側ハウジング１８と押込み操作伝達部材２０とを交互に押込み操作することによって、雌側コネクタ１２の複数段ある内側ハウジング１９を順次雄側コネクタ１１に結合し得るもので、従来の、１つの雄側コネクタ１に対して複数に分けた雌側コネクタ２ａ，２ｂ，２ｃの１つ１つを持って、これらを雄側コネクタ１の各部１ａ，１ｂ，１ｃに１つ１つ結合するというような手間が必要なく、結合操作を簡単にすることができる。
【００４３】
又、本構成のものの場合、雌側コネクタ１２が有する雌側接触子４０の総数は多いが、それを内側ハウジング１９の１つ１つが分けて有するため、内側ハウジング１９の１つ１つが有する雌側接触子４０の個数は少なく、従って、各内側ハウジング１９と雄側コネクタ１１との結合に要する操作力を小さくすることができる。
【００４４】
加えて、本構成のものの場合、雄側コネクタ１１からの雌側コネクタ１２の各内側ハウジング１９の引離しも、外側ハウジング１８の引離し操作によって、雌側コネクタ１２の外側ハウジング１８の孔２３〜２４と、各内側ハウジング１９の突起４２とから成る引離し操作伝達手段を介して、順次行うことができるものであり、従来のもののような、雌側コネクタ２ａ，２ｂ，２ｃの１つ１つを持って雄側コネクタ１の各部１ａ，１ｂ，１ｃから１つ１つ引離すというような手間が必要ないので、引離し操作も簡単にすることができる。
【００４５】
なお、上記実施例では、複数段の内側ハウジング１９を有する構成を雌側コネクタ１２側で採用したが、それに代え、雄側コネクタ１１側で採用するようにしても良い。又、全体の上下は上記実施例とは逆でも良く、それを左右に変えて実施するようにしても良い。更に、引離し操作伝達手段の孔２３〜２５で例示した凹部と、突起４２で例示した凸部の関係は逆であっても良い。
そのほか、本発明は上記し且つ図面に示した実施例にのみ限定されるものではなく、要旨を逸脱しない範囲内で適宜変更して実施し得る。
【００４６】
【発明の効果】
本発明は以上説明したとおりのもので、下記の効果を奏する。
請求項１のコネクタ装置によれば、雌側コネクタの外側ハウジングと押込み操作伝達部材とを交互に押込み操作することによって、雌側コネクタの複数段ある内側ハウジングを順次雄側コネクタに結合し得るから、結合の操作力を軽減できると共に、結合操作を簡単にもすることができる。
【００４７】
請求項２のコネクタ装置によれば、更に、雄側コネクタからの雌側コネクタの各内側ハウジングの引離しも、引離し操作伝達手段を介して順次行うことができるから、引離し操作をも簡単にすることができる。
【図面の簡単な説明】
【図１】本発明の一実施例を、異なる断面位置（ａ〜ｃ）で結合操作順（ア〜オ）に示すそれぞれ雄側コネクタと雌側コネクタの縦断側面図
【図２】結合操作順（ア〜オ）に示すそれぞれ雄側コネクタと雌側コネクタの破断斜視図
【図３】異なる断面位置（ａ，ｂ）で引離し操作順（カ〜ケ）に示すそれぞれ雄側コネクタと雌側コネクタの縦断側面図
【図４】雄側コネクタと雌側コネクタの結合前状態の斜視図
【図５】外側ハウジング単体の側面図
【図６】外側ハウジング単体の平面図
【図７】内側ハウジング単体の平面図
【図８】図７のＸ−Ｘ線に沿う内側ハウジング単体の縦断側面図
【図９】図７のＹ−Ｙ線に沿う内側ハウジング単体の縦断側面図
【図１０】内側ハウジング単体の側面図
【図１１】押込み操作伝達部材の側面図
【図１２】図１１の矢印Ｚ方向より見た押込み操作伝達部材の背面図
【図１３】雄側コネクタと雌側コネクタの結合前状態の、異なる断面位置（ａ〜ｃ）で示す縦断側面図
【図１４】従来例を示す図４相当図
【符号の説明】
１１は雄側コネクタ、１２は雌側コネクタ、１４は雄側接触子、１８は外側ハウジング、１９は内側ハウジング、２０は押込み操作伝達部材、２３〜２５は孔（引離し操作伝達手段）、３１〜３３，３５，３６は段差部、４０は雌側接触子、４２は突起（引離し操作伝達手段）、４４〜４７は凸部、４８〜５０は段差部を示す。
【図１】
0004047509.tif 000002
【図２】
0004047509.tif 000003
【図３】
0004047509.tif 000004
【図４】
0004047509.tif 000005
【図５】
0004047509.tif 000006
【図６】
0004047509.tif 000007
【図７】
0004047509.tif 000008
【図８】
0004047509.tif 000009
【図９】
0004047509.tif 000010
【図１０】
0004047509.tif 000011
【図１１】
0004047509.tif 000012
【図１２】
0004047509.tif 000013
【図１３】
0004047509.tif 000014
【図１４】
0004047509.tif 000015